(57)【要約】【課題】電源駆動時の防水性能を向上させる電子機器を提供すること。【解決手段】第１筐体部と第２筐体部とを有する外部筐体と、前記第１筐体部と前記第２筐体部の間に挟み込まれた防水部材と、前記外部筐体の内部に位置する発熱体と、前記発熱体から発生する熱を前記防水部材に伝える熱伝導部材と、を備える。電源駆動時に防水部材に熱が伝わり膨張し、防水性能が向上する。【選択図】図２
2010258493.tif 000002
【特許請求の範囲】
【請求項１】
第１筐体部と第２筐体部とを有する外部筐体と、
前記第１筐体部と前記第２筐体部の間に挟み込まれた防水部材と、
前記外部筐体の内部に位置する発熱体と、
前記発熱体から発生する熱を前記防水部材に伝える熱伝導部材と、を備えた
電子機器。
【請求項２】
前記熱伝導部材は、
前記発熱体と接する第１伝導部と、
前記防水部材と接する第２伝導部と、
前記第１伝導部と前記第２伝導部をつなぐ接続部と、を有し、
前記第２伝導部は、
前記防水部材の内部に設けられている、
請求項１記載の電子機器。
【請求項３】
前記接続部は、
前記第２伝導部に対して等間隔に複数設けられている、
請求項２記載の電子機器。
【請求項４】
前記発熱体は、
前記第１筐体部が有する開口から表示面を露出させるように設けられた表示パネルを含む、
請求項１記載の電子機器。
【請求項５】
前記発熱体は、
前記外部筐体の内部に設けられた電気回路基板上のＩＣを含む、
請求項１記載の電子機器。
【発明の詳細な説明】
【技術分野】
【０００１】
本発明は、電子機器に関する。特に、防水機能を有する電子機器に関する。
【背景技術】
【０００２】
近年、ワンセグ（携帯電話・移動体端末向けの１セグメント部分受信サービスの略称）放送に代表されるように、デジタル放送を受信し、映像・音声を表示可能な小型の携帯型電子機器が増えてきている。特に、風呂場・台所等などの水気のある場所での使用を目的とした電子機器の需要が増加している。
【０００３】
これらの電子機器においては、電子機器の水没や湿気による故障や電源駆動時の水没によるショートの危険性がある。そこで、筐体の隙間をゴム材料等でシールして、水気が電子機器内に入らない防水構造を構成する必要がある。
【０００４】
例えば、特許文献１および２には、ゴムパッキンを筐体で挟み込んだ防水構造のものがある。
【先行技術文献】
【特許文献】
【０００５】
【特許文献１】特開平１１−８７９４２号公報
【特許文献２】特開２００６−２５２７６号公報
【発明の概要】
【発明が解決しようとする課題】
【０００６】
しかしながら、従来の防水構造においては、電子機器の形状が３次元形状であるためシリコンゴムパッキンの接触圧力が弱く、その部分から内部に浸水を起こし、電子機器が故障する恐れがある。
【０００７】
本発明は上記課題に鑑みてなされたものであり、電源駆動時の防水性能を向上させる電子機器を提供することを目的とする。
【課題を解決するための手段】
【０００８】
本発明の電子機器は、
第１筐体部と第２筐体部とを有する外部筐体と、
前記第１筐体部と前記第２筐体部の間に挟み込まれた防水部材と、
前記外部筐体の内部に位置する発熱体と、
前記発熱体から発生する熱を前記防水部材に伝える熱伝導部材と、を備えた構成をとる。
【発明の効果】
【０００９】
本発明の電子機器によれば、電源駆動時の防水性能を向上させる電子機器を提供することができる。
【図面の簡単な説明】
【００１０】
【図１】（ａ）本発明の実施の形態に係る携帯型液晶表示装置の概略構成を示す分解斜視図、（ｂ）携帯型液晶表示装置の正面図
【図２】本発明の実施の形態に係る携帯型液晶表示装置の上方向からの部分断面図
【図３】本発明の実施の形態に係る携帯型液晶表示装置の正面方向からの部分断面図
【図４】別の構成例での携帯型液晶表示装置の正面方向からの部分断面図
【図５】別の構成例での携帯型液晶表示装置の概略構成を示す分解斜視図
【図６】円形の電子機器へ適用した場合の構成を示す斜視図
【発明を実施するための形態】
【００１１】
以下、本発明に係る実施の形態について図面を参照して説明する。なお、以下の実施の形態において、同様の構成要素については同一の符号を付し、再度の説明を省略する場合がある。
【００１２】
（実施の形態）
本発明の実施の形態に係る携帯型液晶表示装置について、図１乃至図８を参照して説明する。
【００１３】
図１（ａ）は、本発明の実施の形態に係る携帯型液晶表示装置１の概略構成を示す分解斜視図である。図１（ｂ）は、携帯型液晶表示装置１の正面図である。なお、本実施形態においては、図１（ａ）に示すｚ軸の正の方向を上方向、ｚ軸の負の方向を下方向、ｘ軸の方向を左右方向、ｙ軸の正の方向を正面方向または前面方向または表示面方向、ｙ軸の負の方向を後面方向または背面方向と呼ぶ場合がある。
【００１４】
液晶表示装置１は、大別して、液晶パネル１０と、第１筐体部としての表示面側筐体１１と、第２筐体部としての背面側筐体１２と、外部アンテナ１３と、電気回路基板１４と、防水部材１５と、表示面側熱伝導部材１６と、背面側熱伝導部材１７と、防水部材接続用熱伝導部材１８を備えている。表示面筐体１１と背面側筐体１２とで、外装筐体を構成している。
【００１５】
液晶パネル１０は、表示面側筐体１１の開口部にその表示面が露出するように配置されている。液晶パネル１０は、電気回路基板１４からの電気信号を受けて、映像や文字などの各種情報を表示面に表示する。液晶パネル１０の背面側、つまり表示面と反対側は、金属のフレーム枠で覆われている。
【００１６】
図２は、図１（ｂ）におけるＡ−Ａ断面の一部を示した部分断面図である。液晶パネル１０は、上述したように背面側に金属のフレーム枠１０１が設けられている。このフレーム枠１０１内に液晶パネル１０の本体が収納されて設置されている。ここで、本体とは液晶パネル１０の表示機能を果たす主要部を言い、説明は省略するが、液晶層、偏光板、電極、ガラス板などから構成される。
【００１７】
表示側筐体１１および背面側筐体１２は、樹脂材料からなる。表示面側筐体１１および背面側筐体１２は、電気回路基板１４を内部に包含する形で外部筐体を構成する。電気回路基板１４は、矩形形状である。表示側筐体１１は、開口部を有し、前述したようにその開口部から液晶パネル１０の表示面が露出するように、液晶パネル１０を保持している。背面筐体１２には、内側に電気回路基板１４が固定されている。
【００１８】
防水部材１５は、弾性を有するゴム材料からなる。具体的には、例えばクロロプレンゴムなどを用いることができる。防水部材１５は、表示面筐体１１と背面側筐体１２とに押圧されて挟まれるように配置されている。防水部材１５は、表示面筐体１１と背面側筐体１２の内側で、かつ、外周近傍に設けられている。よって、防水部材１５は、電気回路基板１４に対して、外部からの水分の浸入を防ぐ、防水機能の役割を果たしている。
【００１９】
防水部材１５は、図２に示すように表示面側筐体１１と背面側筐体１２にそれぞれ設けた固定部２０１に挟まれるように配置される。固定部２０１および防水部材１５の更に外側には、ネジ２１で表示面側筐体１１と背面側筐体１２を固定するネジ止め部２０２が配置される。ネジ止め部２０２においてネジ２１を締めることで、防水部材１５が押圧されて防水機能を果たす。
【００２０】
表示面側熱伝導部材１６は、発熱体としての金属のフレーム枠１０１の背面側に設置されている。表時面側熱伝導部材１６は、矩形形状をしている。表示面側熱伝導部材１６は、金属のフレーム枠１０１に接触するように配置されている。表示面側熱伝導部材１６は、電源駆動時に液晶パネル１０から放射される熱を金属フレーム１０１を介して吸収する。
【００２１】
背面側熱伝導部材１７は、矩形形状をしている。背面側熱伝導部材１７は、電気回路基板１４の表示面側に設置されている。背面側熱伝導部材１７は、電気回路基板１４上に設けられた発熱体としてのＩＣ２０に接触するように配置されている。背面側熱伝導部材１７は、電源駆動時に電気回路基板１４上のＩＣ２０から放射される熱を吸収する。
【００２２】
防水部材接続用熱伝導部材１８は、接続部２０３を介して表示側熱伝導部材１６および背面側熱伝導部材１７と接続されている。防水部材接続用熱伝導部材１８は、防水部材１５に内包されており、その一部が上下左右の４箇所において、防水部材１５から外装筐体内部側に露出している。そして、露出している４箇所が、接続部２０３と鍵爪形状で接続されている。表示面側熱伝導部材１６、背面側熱伝導部材１７、接続部２０３および防水部材接続用熱伝導部材１８は、熱伝導部材を構成する。
【００２３】
図３は、図２におけるＢ−Ｂ断面から見た内部構造の一部を示したものであり、防水部材１５と熱伝導部材の配置関係を示している。防水部材接続用熱伝導部材１８において防水部材１５から外装筐体内部側に露出している４箇所、つまり接続部２０３の位置は、防水部材接続用熱伝導部材１８に対して等間隔となるように位置している。このような構成によれば、防水部材１５に対して熱を均一に伝えることができる。
【００２４】
電源駆動時に液晶パネル１０と電気回路基板１４に設けられたＩＣ２０とから発生した熱は、表示面側熱伝導部材１６と背面側熱伝導部材１７によって吸熱される。表示面側熱伝導部材１６と背面側熱伝導部材１７に伝わった熱は、接続部を介して防水部材接続用熱伝導部材１８に伝わる。防水部材接続用熱伝導部材１８の熱が防水部材１５に伝わると、熱を受けた防水部材１５は、図２の矢印の方向に膨張する。つまり、防水部材１５の接触圧力を増加させることができる。結果として、防水性が向上する。
【００２５】
特に、電源駆動時の防水性能が向上することで、例えば携帯型液晶表示装置１が水没したような場合に、電気回路基板１４のショートの危険性を回避することができる。
【００２６】
なお、本実施の形態においては、接続部２０３の位置は防水部材接続用熱伝導部材１８に対して等間隔となるように位置している。このような構成によって防水部材１５に対して熱を均一に伝え、シール性の安定を図ることができる。
【００２７】
また、本実施の形態においては、接続部２０３は４箇所になっているが、これに限らない。例えば、図４に示すように、背面側熱伝導部材１７ａから１２箇所で防水部材接続用熱伝導部材１８ａへ接続することも可能であり、接続点数はいくらでも良い。
【００２８】
また、本実施の形態においては、背面側熱伝導部材１７を一部材で構成したが、これに限らない。例えば、図５に示すように、個々のＩＣ２０に対して背面側熱伝導部材を設置してもよい。このような構成によれば、例えば高さの異なるＩＣを複数要する場合等でもそれぞれの高さに合わせて適宜構成することが可能である。
【００２９】
また、本実施の形態においては、発熱体を電気回路基板１４上のＩＣ２０と液晶パネル１０としたが、これに限らない。例えば、電池部分などを発熱体として構成することもできる。要するに、熱を放射する全ての部材に対して適用可能である。
【００３０】
また、本実施の形態においては、防水部材接続用熱伝導部材１８は、防水部材１５に内包する構造としたが、これに限らない。例えば、表面に接触する構造であってもよいし、近接する構造であってもよい。また、全体に内包されていなくても、一部分のみが内包されているような構造でもよい。要するに、防水部材接続用熱伝導部材１８の熱が防水部材１５に伝わり、防水部材１５を熱膨張させるような構造であればよい。
【００３１】
また、本実施の形態においては、防水部材接続用熱伝導部材１８および背面側熱伝導部材１７と鍵爪形状で接続したが、これに限られない。例えば、表面に接触する構造であってもよいし、近接する構造であってもよい。要するに、背面側熱伝導部材１７の熱が、防水部材接続用熱伝導部材１８に伝わるような構造であればよい。
【００３２】
また、本実施の形態においては、防水部材接続用熱伝導部材１８、表示面側熱伝導部材１６、背面側熱伝導部材１７を用いているが、これに限らない。例えば、いずれか一つだけを用いるような構造であってもよい。いずれか一つだけを用いる構造であれば、より薄型化でき、また低コスト化することができる。
【００３３】
また、本実施の形態においては、表示面及び外装筐体の外形が矩形形状の携帯型液晶表示装置を例に示したが、これに限られない。例えば、図６に示すように表示パネルや筐体外形が円形のものに適用することも可能である。
【００３４】
また、本実施の形態においては、電気回路基板１４は、矩形形状としたが、これに限られない。例えば、電気回路基板が円形のものに適用することも可能である。
【００３５】
また、本実施の形態においては、表時面側熱伝導部材１６および背面側熱伝導部材１７は、矩形形状としたが、これに限られない。例えば、熱伝導部材が円形のものに適用することも可能である。
【００３６】
また、本実施の形態においては、表示パネルとして液晶パネルを用いた例を示したが、これに限られない。例えば、有機ＥＬパネルや無機ＥＬパネルなどを用いた電子機器に適用することも可能である。
【００３７】
また、本実施の形態においては、電子機器として携帯型液晶表示装置を例に示したが、これに限られない。例えば、携帯電話、携帯型音楽プレーヤー、デジタルカメラ、デジタルビデオカメラなどにも適用可能である。要するに、防水機能を有する電子機器であればどのようなものでも適用可能である。
【００３８】
なお、以上の説明は本発明の好適な実施の形態の例証であり、本発明の範囲はこれに限定されない。つまり、上記電子機器の構成等についての説明は例であり、本発明の範囲においてこれらの例に対する様々な変更及び追加が可能であることは明らかである。
【産業上の利用可能性】
【００３９】
本発明の電子機器は、例えば、防水機能を有する携帯型液晶表示装置、携帯電話、携帯型音楽プレーヤー、デジタルカメラ、デジタルビデオカメラなどに適用可能である。
【符号の説明】
【００４０】
１、１ａ、１ｂ、１ｃ  携帯型液晶表示装置
１０、１０ａ  液晶パネル
１１  表示面側筐体
１２  背面側筐体
１３  外部アンテナ
１４  電気回路基板
１５  防水部材
１６、１６ａ  表示面側熱伝導部材
１７、１７ａ  背面側熱伝導部材
１８、１８ａ、１８ｂ  防水部材接続用熱伝導部材
１９，１９ａ  接続用開口部
２０  電気回路部品
２１  ネジ
１０１  フレーム枠
２０１  固定部
２０２  ネジ止め部
２０３  導電部材接続部
２０４  防水部材と導電部材の接続部
【図１】
2010258493.tif 000003
【図２】
2010258493.tif 000004
【図３】
2010258493.tif 000005
【図４】
2010258493.tif 000006
【図５】
2010258493.tif 000007
【図６】
2010258493.tif 000008